(57)【要約】【課題】カラー識別手段、カラー識別変換手段と各カラーの転送先開始アドレス指定手段の最小限の回路を追加するのみで線順次カラー読み取り機能を実現する。【解決手段】画像読取りデータ転送装置１は、カラー原稿読取り部２により読み取った画像データをライン単位で一時保管するラインメモリ部１０２と、画像データに対応してライン単位で、当該ラインのカラーの識別を可能にする画像処理部４と、カラー識別手段による識別情報を、転送データに対応するカラー識別信号に変換し、変換結果であるカラー識別信号を、ラインメモリ手段へのライン画像データ書き込みと同期して一時保管するカラー識別情報変換部１０３と、カラー識別変換変換部のカラー識別変換情報に従って、カラー要素に対応した転送先開始アドレスを指定しおよび転送先アドレスを生成する転送先アドレスを生成する転送制御部１０４を備える。【選択図】　　　　図１
2004112491.tif 000002
【特許請求の範囲】
【請求項１】
カラーまたはモノクロ原稿画像の読取りを行う画像読取り手段により読み取った画像データをライン単位で一時保管するラインメモリ手段と、
前記画像読取り手段により読み取った画像データに対応してライン単位で、当該ラインのカラーの識別を可能にするカラー識別手段と、
前記カラー識別手段による識別情報を、転送データに対応するカラー識別信号に変換し、変換結果であるカラー識別信号を、前記ラインメモリ手段へのライン画像データ書き込みと同期して一時保管するカラー識別変換手段と、
前記カラー識別変換手段のカラー識別変換情報に従って、カラーに対応した転送先開始アドレスを指定する転送先開始アドレス指定手段および転送先アドレスを生成する転送先アドレス生成手段と、
を備えたことを特徴とするデータ転送装置。
【請求項２】
前記画像読取り手段は、カラー読取り用密着センサを備え、線順次の読取りを行うことを特徴とする請求項１に記載のデータ転送装置。
【請求項３】
ラインメモリ手段にＦＩＦＯを使用し、当該ＦＩＦＯの書き込み信号で前記カラー識別変換手段の変換結果を一時保管することを特徴とする請求項第１または２に記載のデータ転送装置。
【請求項４】
モノクロデータ転送時には、カラー転送に使用される前記転送先開始アドレス指定手段および前記転送先アドレス生成手段を共用することを特徴とする請求項第１から請求項３の何れかに記載のデータ転送装置。
【請求項５】
データ転送プロトコルにはＰＣＩを用いることを特徴とする請求項１から４の何れかに記載のデータ転送装置。
【請求項６】
画像読取り手段と、前記画像読取り手段により読み取った画像にかかる画像データを転送用データに変換する画像変換部、当該画像変換部により変換した画像を転送する請求項１から５に記載のデータ転送装置とからなることを特徴とするカラー画像読取り装置。
【発明の詳細な説明】
【０００１】
【発明の属する技術分野】
本発明は、モノクロ読み取り機能に、カラー識別手段、カラー識別変換手段と各カラーの転送先開始アドレス指定手段の最小限の回路を追加するのみで線順次カラー読み取り機能を実現できるデータ転送装置およびカラー画像読取り装置に関する。
【０００２】
【従来の技術】
従来、特許文献１に記載のように、選択的に接続される処理能力の異なる複数の外部装置に応じた複数の出力形態（ＲＧＢ各色同時出力、ＲＧＢ各色線順次出力等）で出力する手段と、出力モードを選択する手段と、外部装置とインターフェースする手段を持つカラー画像読取装置が提案されている。
【０００３】
【特許文献１】
特開２０００−３４１５３９号
【０００４】
【発明が解決しようとする課題】
しかし、特許文献１に記載の技術では、外部装置とインターフェースする手段は、実質上、ＲＧＢ各色同時出力回路とＲＧＢ各色線順次出力回路の２つを含む回路をＡＳＩＣ等により構成しなければならず、回路規模が大きくなり、あるいは製造コストが高くなるという問題がある。
【０００５】
本発明は、モノクロ読み取り機能に、カラー識別手段、カラー識別変換手段と各カラーの転送先開始アドレス指定手段の最小限の回路を追加するのみで線順次カラー読取り機能を実現できるデータ転送装置およびカラー画像読取り装置を提供することを目的とする。
【０００６】
【課題を解決するための手段】
本発明のデータ転送装置は、カラーまたはモノクロ原稿画像の読取りを行う画像読取り手段により読み取った画像データをライン単位で一時保管するラインメモリ手段と、前記画像読取り手段により読み取った画像データに対応してライン単位で、当該ラインのカラーの識別を可能にするカラー識別手段と、前記カラー識別手段による識別情報を、転送データに対応するカラー識別信号に変換し、変換結果であるカラー識別信号を、前記ラインメモリ手段へのライン画像データ書き込みと同期して一時保管するカラー識別変換手段と、前記カラー識別変換手段のカラー識別変換情報に従って、カラー要素に対応した転送先開始アドレスを指定する転送先開始アドレス指定手段および転送先アドレスを生成する転送先アドレス生成手段とを備えたことを特徴とする。
【０００７】
本発明では、モノクロ読み取り回路構成に、カラー識別手段、カラー識別手段と各カラーの転送先開始アドレス指定手段の最小限の回路を追加するのみで線順次カラー読み取り機能を実現できる。すなわち、本発明では、カラー識別手段のカラー識別情報をカラー識別変換手段で変換を行い、ラインメモリ手段へのライン画像データ書き込みと同期して一時保管を行い、ラインメモリ手段からライン画像データを読み出す際に、カラー識別変換手段のカラー識別変換情報を読み出し、読み出したカラー識別変換情報に従って、転送先開始アドレス指定手段のアドレス値および、転送先アドレス生成手段のアドレス生成値を変えることによって、画像データのモノクロ・カラーを問わず同じ構成でデータ転送を実現することができ、カラー画像データの場合はカラーごとのアドレスの転送先メモリへ保管すること、またはＧ，Ｂ，Ｒ，Ｇ，Ｂ，Ｒ，・・・等の順にメモリに保管することができる。
【０００８】
また、本発明のデータ転送装置では、画像読取り手段は、カラー読取り用密着センサを備え、線順次の読取りを行うことができる。カラーの読み取りに密着センサを使用することにより、カラーラインデータが線順次で取り込まれ、その結果、モノクロ・カラーを問わず同じ構成でカラーの読み取りを行うことができる。
【０００９】
さらに、本発明では、ラインメモリ手段にＦＩＦＯを使用し、当該ＦＩＦＯの書き込み信号で前記カラー識別変換手段の変換結果を一時保管することができる。これにより、カラー識別情報とそれに対応するライン画像データを容易に同期させて一時保管することができる。すなわち、ラインメモリ手段にＦＩＦＯを使用し、ＦＩＦＯの書き込み信号で前記カラー識別変換手段の変換結果を一時保管することにより、カラー識別情報の変換結果とそれに対応するライン画像データを同期させて一時保管することができる。
【００１０】
通常、カラー転送の場合には、前記転送先開始アドレス指定手段および前記転送先アドレス生成手段は、各カラー（Ｒ，Ｇ，Ｂ）ごとに設けられる。本発明では、モノクロデータ転送時には、カラー転送に使用されるカラー（Ｒ，Ｇ，Ｂ）の何れかに使用される前記転送先開始アドレス指定手段および前記転送先アドレス生成手段を共用することができる。これにより、回路規模を小さくすることができる。
【００１１】
加えて、本発明では、データ転送プロトコルにＰＣＩ（ＰｅｒｉｐｈｅｒａｌＣｏｍｐｏｎｅｎｔ　Ｉｎｔｅｒｃｏｎｎｅｃｔ）を用いることができ、これにより転送画像データの信頼性を高めることができる。
【００１２】
本発明のカラー画像読取り装置は、画像読取り手段と、前記画像読取り手段により読み取った画像にかかる画像データを転送用データに変換する画像変換部、当該画像変換部により変換した画像を転送する前記データ転送装置とから構成することができる。
【００１３】
【発明の実施の形態】
図１は、本発明のデータ転送装置の一実施形態を、周辺回路とともに示すカラー画像読取りシステムの概略ブロック図である。図１に示したシステムは、データ転送装置１と、カラー原稿読取り部（本発明の画像読取り手段）２と、Ａ／Ｄ変換部３と、画像処理部４と、ＣＰＵ５とを含んで構成されている。カラー原稿読取り部２は、ＣＣＤまたはカラー密着センサ（ＣＩＳ）を用いて構成されている。原稿画像は、カラー読取りモードで読み取られることもあるし、モノクロ読取りモードで読み取られることもある。
【００１４】
Ａ／Ｄ変換部３は、カラー原稿読取り部２から出力されたアナログ画像信号をデジタル画像データに変換する。
画像処理部４は、Ａ／Ｄ変換部３からのデジタル画像データを所定の画像形式に変換する等、デジタル画像データに対して様々な画像処理を行う。本実施形態では、本実施形態では、本発明におけるカラー識別手段の機能は、画像処理部４が備えているものとする。
ＣＰＵ５は、データ転送装置１や画像処理部４を制御する。
【００１５】
データ転送装置１は、ＦＩＦＯ−Ｉ／Ｆ１０１と、ラインメモリ部（本発明におけるラインメモリ手段）１０２と、カラー識別情報変換部１０３と、転送制御部１０４と、ＰＣＩ−Ｉ／Ｆ１０５とからなる。
【００１６】
画像処理部４からのデジタル画像データａは、ＦＩＦＯ−Ｉ／Ｆ１０１に入力され、ラインメモリ部１０２へ一時保管される。図１におけるラインメモリ部１０２は２ライン分のメモリＦＩＦＯ＿０，ＦＩＦＯ＿２を備えトグルに使用している。一方のメモリ（たとえば、ＦＩＦＯ＿０）に画像データを書き込んでいる最中にもう一方のメモリ（ＦＩＦＯ＿０）から既に入力済みのデータを読み出す。図１では、ＦＩＦＯ＿０，ＦＩＦＯ＿１からの出力データをｂ１，ｂ２で示してある。
【００１７】
カラー識別情報変換部１０３は、そのラインデータにおけるカラー識別信号ｃ（図２におけるＣＯＬ，ＲＧＢ＿ＳＥＬ）を、画像処理部４から入力し、転送データに対応したカラー識別情報に変換した後、これをラインメモリ部１０２への書き込み信号を利用して一時的に保持する。カラー識別情報変換手段
【００１８】
ラインメモリ部１０２からの出力データｂ１，ｂ２と、カラー識別情報変換部１０３からの出力データ（図２におけるＣＯＬ＿ＯＵＴ）は、転送先開始アドレス指定手段、転送アドレス生成手段を含む転送制御部１０４に入力される。ＰＣＩ−Ｉ／Ｆ１０５は、ＰＣＩによりデータ転送を行う。ＰＣＩバス６に出力されたアドレス、データは最終的に図示しない転送先メモリに接続される。
【００１９】
図２は、カラー識別情報変換部１０３のカラー識別情報の入出力のタイミングを示す図である。すなわち、１ページ分の画像データを画像処理部４からＦＩＦＯ−Ｉ／Ｆ１０１に転送する場合のタイミングであり、ＦＧＡＴＥは副走査方向の有効範囲、ＬＧＡＴＥはラインデータの有効範囲、ＤＡＴＡは画像データ、ＣＯＬはＨでＲＧＢ、Ｌでモノクロを示すＩ／Ｆ信号、ＲＧＢ＿ＳＥＬはＧをＨレベルで表すＲＧＢ周期信号である。
【００２０】
データ転送は、ラインメモリ部１０２への書き込みが終了次第行われる。ＣＯＬ＿ＯＵＴは、ＣＯＬ，ＲＧＢ＿ＳＥＬ信号を元に、実際のデータ転送周期に合わせたタイミングで変化するようにしたＲＧＢ識別信号（図１のｄ）である。このタイミングの変更は、図１のカラー識別情報変換部１０３の一時保管部において行われる。
【００２１】
図３は、図１におけるデータ転送装置１の概略動作を示すフローチャートであり、カラーまたはモノクロ原稿１枚の読み取りを行い、データ転送が終了するまでのフローを記載している。
読取りに先立って、転送制御部１０４に転送先アドレスおよび読み取りモード（カラーまたはモノクロ）を指定する。読取りがカラーで行われ、かつカラーデータがＲＧＢである場合に、別エリアのメモリに格納するときはそれぞれアドレス設定を行う（Ｓ１０１）。
【００２２】
カラー原稿読取り部２により読取りが開始され（Ｓ１０２）、アナログ画像データは、Ａ／Ｄ変換部３に送られる。Ａ／Ｄ変換部３はアナログ画像データをデジタル画像データに変換し、画像処理部４に送出する。画像処理部４は、Ａ／Ｄ変換部３からのデジタル画像データに対して所定の画像処理を行う。前述したように、ラインメモリ部１０２に画像データが入力されるとともに、カラー識別情報変換部１０３にカラー識別情報が入力され当該情報が転送データに対応したカラー識別情報ｄに変換される（Ｓ１０３）。
【００２３】
１ライン格納するまでラインメモリ部１０２に対する書き込みが行われ、ＦＩＦＯ＿０，ＦＩＦＯ＿１の何れかにより１ライン分の格納が終わると（Ｓ１０４の「Ｙｅｓ」）、書込みをトグルで使用しているもう一方のＦＩＦＯに切り替ええて、次のラインの書き込みに備える（Ｓ１０５）。その後にデータ転送を開始するとともに次ラインの画像データの格納も可能な状態となる（Ｓ１０６）。
【００２４】
次にラインメモリ部１０２からの画像データの読出しが行われ（Ｓ１０７）、ＢまたはＲのカラー画像である場合には、図２のＣＯＬ＿ＯＵＴ信号に従ってアドレスを出力、アドレス生成を行い（Ｓ１１０）、ＧまたはＫの場合にはモノクロ／Ｇ時のアドレスを出力、アドレス生成を行う（Ｓ１０９）。生成されたアドレスを用いてＰＣＩバス６にデータ転送を行い（Ｓ１１１）、１ライン転送終了までＳ１０７からの処理を繰り返す（Ｓ１１２）。１ライン転送終了すると（Ｓ１１２の「Ｙｅｓ」）、転送終了で無ければ（Ｓ１１３の「Ｎｏ」）、Ｓ１０４からの処理を繰り返し、１ページ転送終了すると全ての処理を終える（Ｓ１０３の「Ｙｅｓ」）。以上の如く本発明ではモノクロ読取り機能にカラー識別手段、カラー識別変換手段と各カラーの転送先開始アドレス指定手段の最小限の回路追加のみで線順次カラー読取り機能を実現するものである。
【００２５】
【発明の効果】
本発明では、モノクロ読取り機能にカラー識別手段、カラー識別変換手段と各カラーの転送先開始アドレス指定手段の最小限の回路追加のみで線順次カラー読取り機能を実現することができる。
【図面の簡単な説明】
【図１】本発明のデータ転送装置の一実施形態を、周辺回路とともに示すデータ転送システムの概略ブロック図である。
【図２】カラー識別情報変換部のカラー識別情報の入出力のタイミングを示す図である。
【図３】図１におけるデータ転送装置の概略動作を示すフローチャートである。
【符号の説明】
１　データ転送装置
２　カラー原稿読取り部
３　Ａ／Ｄ変換部
４　画像処理部
５　ＣＰＵ
６　ＰＣＩバス
１０１　ＦＩＦＯ−Ｉ／Ｆ
１０２　ラインメモリ部
１０３　カラー識別情報変換部
１０４　転送制御部
１０５　ＰＣＩ−Ｉ／Ｆ
【図１】
2004112491.tif 000003
【図２】
2004112491.tif 000004
【図３】
2004112491.tif 000005